(57)【要約】  本開示は、非静止軌道（ＮＧＳＯ）衛星ネットワーク内の通信のための方法および装置を提示する。例えば、方法は、リレーノードにおいて、データをＮＧＳＯ衛星ネットワークの第１のＮＧＳＯ衛星から受信することと、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される、および、データをリレーノードからＮＧＳＯ衛星ネットワークの第２のＮＧＳＯ衛星にリレーすることと、を含み得、ここにおいて、ＩＰＰは、第２のＮＧＳＯ衛星に関連付けられた複数のビームのうちの少なくとも１つで利用可能である。このように、非静止軌道（ＮＧＳＯ）衛星ネットワーク内の通信が達成され得る。
2016530832.tif 000002
【特許請求の範囲】
【請求項１】
非静止軌道（ＮＧＳＯ）衛星ネットワーク内の通信のための方法であって、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、方法。
【請求項２】
前記データを前記第２のＮＧＳＯ衛星から前記第２のＮＧＳＯ衛星のＩＰＰに関連付けられたゲートウェイに送信すること
をさらに備える、請求項１に記載の方法。
【請求項３】
前記第１のＮＧＳＯ衛星から受信された前記データを復号すること
をさらに備え、
ここにおいて、前記受信されたデータは、前記リレーノードに送信するためにおよび前記リレーノードで受信するために増加的冗長性（ＩＲ）を使用して符号化される、請求項１に記載の方法。
【請求項４】
前記第１または前記第２の衛星に関連付けられたビームは、周波数再利用ファクター１を使用する、請求項３に記載の方法。
【請求項５】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項４に記載の方法。
【請求項６】
非静止軌道（ＮＧＳＯ）衛星ネットワーク内の通信のための装置であって、
リレーノードにおいて、データを前記ＮＧＳＯ衛星ネットワークの第１のＮＧＳＯ衛星から受信するための手段と、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーするための手段と、
を備え、
ここにおいて、ＩＰＰは、前記第２のＮＧＳＯ衛星に関連付けられた複数のビームのうちの少なくとも１つで利用可能である、装置。
【請求項７】
前記データを前記第２のＮＧＳＯ衛星から前記第２のＮＧＳＯ衛星のＩＰＰに関連付けられたゲートウェイに送信するための手段
をさらに備える、請求項６に記載の装置。
【請求項８】
前記第１のＮＧＳＯ衛星から受信された前記データを復号するための手段
をさらに備え、
ここにおいて、前記受信されたデータは、増加的冗長性（ＩＲ）を使用して符号化される、請求項６に記載の装置。
【請求項９】
前記第１または前記第２の衛星に関連付けられたビームは、周波数再利用ファクター１を使用する、請求項８に記載の装置。
【請求項１０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項９に記載の装置。
【請求項１１】
非静止軌道（ＮＧＳＯ）衛星ネットワーク内の通信のための装置であって、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、装置。
【請求項１２】
前記データを前記第２のＮＧＳＯ衛星から前記第２のＮＧＳＯ衛星のＩＰＰに関連付けられたゲートウェイに送信すること
をさらに備える、請求項１１に記載の装置。
【請求項１３】
前記第１のＮＧＳＯ衛星から受信された前記データを復号すること、
をさらに備え、
ここにおいて、前記受信されたデータは、前記リレーノードに送信するためにおよび前記リレーノードで受信するために増加的冗長性（ＩＲ）を使用して符号化される、請求項１１に記載の装置。
【請求項１４】
前記第１または前記第２の衛星に関連付けられたビームは、周波数再利用ファクター１を使用する、請求項１３に記載の装置。
【請求項１５】
前記第１または前記第２の衛星に関連付けられた前記複数のビームは、干渉を低減するために異なるアンテナ偏波を使用して、近接するＮＧＳＯ衛星またはビームを有する複数の列にグループ化される、請求項１４に記載の装置。
【請求項１６】
コードを備えた非一時的コンピュータ読取可能媒体を備える、非静止軌道（ＮＧＳＯ）衛星ネットワーク内の通信のためのコンピュータプログラム製品であって、前記コードは、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を行うためにコンピュータによって実行可能であり、
ここにおいて、ＩＰＰは、前記第２のＮＧＳＯ衛星に関連付けられた複数のビームのうちの少なくとも１つで利用可能である、コンピュータプログラム製品。
【請求項１７】
前記データを前記第２のＮＧＳＯ衛星から前記第２のＮＧＳＯ衛星のＩＰＰに関連付けられたゲートウェイに送信するためのコード
をさらに備える、請求項１６に記載のコンピュータプログラム製品。
【請求項１８】
前記第１のＮＧＳＯ衛星から受信された前記データを復号するためのコード
をさらに備え、
ここにおいて、前記受信されたデータは、前記リレーノードに送信するためにおよび前記リレーノードで受信するために増加的冗長性（ＩＲ）を使用して符号化される、請求項１６に記載のコンピュータプログラム製品。
【請求項１９】
前記第１または前記第２の衛星に関連付けられたビームは、周波数再利用ファクター１を使用する、請求項１８に記載のコンピュータプログラム製品。
【請求項２０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項１９に記載のコンピュータプログラム製品。
【発明の詳細な説明】
【優先権の主張】
【０００１】
[0001]  本特許出願は、「Method and Apparatus for Improved Non-Geostationary Communications」と題された、２０１４年３月２５日付けで出願された、米国特許非仮出願第14/224,941号、および「Efficient Non-Geo Stationary-Orbit (ＮＧＳＯ) Satellite System for Broadband Internet Access」と題された、２０１３年９月６日付けで出願された米国特許仮出願第61/874,459号の優先権を主張し、これらは、その譲受人に譲渡され、参照によって本明細書に明示的に組み込まれている。
【技術分野】
【０００２】
[0002]  本開示の態様は、一般に、衛星通信システムに関し、より具体的には、非静止軌道（ＮＧＳＯ）衛星システムに関する。
【０００３】
[0003]  ＮＧＳＯ衛星は、その電波到達範囲（footprint）をカバーする複数のビームを有し得る。ビームの数は、電波到達範囲が電波到達範囲内の、あるロケーションにおけるインターネットポイントオブプレゼンス（ＩＰＰ：Internet Point of Presence）を十分に多く有するように選択される。しかしながら、いくつかのケースでは、例えば、リモートエリアのように衛星の電波到達範囲内にＩＰＰが存在しない可能性がある。加えて、ＮＧＳＯ衛星システムは、各家庭のまたは地上端末がそれ自体の衛星アンテナを有し、衛星と直接通信することを要求し得る。これは、ブロードバンドインターネットサービスを家庭および／または企業に提供するのに費用効率の高いものではない可能性がある。
【０００４】
[0004]  従って、家庭および企業に低コストでかつブロードバンドインターネット接続サービスを提供するために、改善されたＮＧＳＯ衛星システムのための方法および装置に関する要求がある。
【発明の概要】
【０００５】
[0005]  １つまたは複数の態様の基本的理解を提供するために、下記にこのような態様の簡略化された概要を提示する。この概要は、全ての意図される態様の広範な概要ではなく、すべての態様のキーとなる要素または重要な要素を特定することも、任意の態様または全ての態様の範囲を示すことも意図しない。その唯一の目的は、１つまたは複数の態様のいくつかの概念を、後に提示される、より詳細な説明への前置きとして、簡略化された形式で提示することである。
【０００６】
[0006]  本開示は、非静止軌道（ＮＧＳＯ）衛星ネットワーク内の通信のための方法および装置の例を提示する。例えば、ある態様において、本開示は、リレーノードにおいて、データをＮＧＳＯ衛星ネットワークの第１のＮＧＳＯ衛星から受信することと、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される、および、データをリレーノードからＮＧＳＯ衛星ネットワークの第２のＮＧＳＯ衛星にリレーすることと、を含み、ここにおいて、ＩＰＰは、第２のＮＧＳＯ衛星に関連付けられた複数のビームのうちの少なくとも１つで利用可能である方法の例を提示する。
【０００７】
[0007]  加えて、本開示は、リレーノードにおいて、データをＮＧＳＯ衛星ネットワークの第１のＮＧＳＯ衛星から受信するための手段と、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される、および、データをリレーノードからＮＧＳＯ衛星ネットワークの第２のＮＧＳＯ衛星にリレーするための手段と、を含み得、ここにおいて、ＩＰＰは、第２のＮＧＳＯ衛星に関連付けられた複数のビームのうちの少なくとも１つで利用可能である、非静止軌道（ＮＧＳＯ）衛星ネットワーク内の通信のための装置の例を提示する。
【０００８】
[0008]  さらなる態様では、本開示は、リレーノードにおいて、データをＮＧＳＯ衛星ネットワークの第１のＮＧＳＯ衛星から受信することと、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される、および、データをリレーノードからＮＧＳＯ衛星ネットワークの第２のＮＧＳＯ衛星にリレーすることと、を含み得、ここにおいて、ＩＰＰは、第２のＮＧＳＯ衛星に関連付けられた複数のビームのうちの少なくとも１つで利用可能である、非静止軌道（ＮＧＳＯ）衛星ネットワーク内の通信のための装置の例を提示する。
【０００９】
[0009]  さらに、ある態様では、本開示は、リレーノードにおいて、データをＮＧＳＯ衛星ネットワークの第１のＮＧＳＯ衛星から受信することと、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される、および、データをリレーノードからＮＧＳＯ衛星ネットワークの第２のＮＧＳＯ衛星にリレーすることと、を行うためにコンピュータによって実行可能なコードを有する非一時的コンピュータ読取可能媒体を含み得、ここにおいて、ＩＰＰは、第２のＮＧＳＯ衛星に関連付けられた複数のビームのうちの少なくとも１つで利用可能である、非静止軌道（ＮＧＳＯ）衛星ネットワーク内の通信のためのコンピュータプログラム製品の例を提示する。
【００１０】
[0010]  さらなる態様では、本開示は、非静止軌道（ＮＧＳＯ）衛星ネットワーク内の通信のための方法および装置の例を提示する。例えば、ある態様では、本開示は、第１の地上端末において、データをＮＧＳＯ衛星ネットワークのＮＧＳＯ衛星から受信することと、ここにおいて、第１の地上端末は、ＮＧＳＯ衛星への衛星通信リンクを有する指定された地上端末であり、および、データを第１の地上端末から１つまたは複数の第２の地上端末に送信することと、を含み得、ここにおいて、データは、地上波通信リンク（terrestrial communication links）を介して第１の地上端末から１つまたは複数の第２の地上端末に転送される方法の例を提示する。
【００１１】
[0011]  さらに、本開示は、第１の地上端末において、データをＮＧＳＯ衛星ネットワークのＮＧＳＯ衛星から受信することと、ここにおいて、第１の地上端末は、ＮＧＳＯ衛星への衛星通信リンクを有する指定された地上端末であり、および、データを第１の地上端末から１つまたは複数の第２の地上端末に送信することと、を行うための手段を含み得、ここにおいて、データは、地上波通信リンクを介して第１の地上端末から１つまたは複数の第２の地上端末に転送される、非静止軌道（ＮＧＳＯ）衛星ネットワーク内の通信のための装置の例を提示する。
【００１２】
[0012]  さらに、ある態様では、本開示は、第１の地上端末において、データをＮＧＳＯ衛星ネットワークのＮＧＳＯ衛星から受信することと、ここにおいて、第１の地上端末は、ＮＧＳＯ衛星への衛星通信リンクを有する指定された地上端末であり、および、データを第１の地上端末から１つまたは複数の第２の地上端末に送信することと、を含み得、ここにおいて、データは、地上波通信リンクを介して第１の地上端末から１つまたは複数の第２の地上端末に転送される、非静止軌道（ＮＧＳＯ）衛星ネットワーク内の通信のための装置の例を提示する。
【００１３】
[0013]  さらなる態様では、本開示は、第１の地上端末において、データをＮＧＳＯ衛星ネットワークのＮＧＳＯ衛星から受信することと、ここにおいて、第１の地上端末は、ＮＧＳＯ衛星への衛星通信リンクを有する指定された地上端末であり、および、データを第１の地上端末から１つまたは複数の第２の地上端末に送信することと、を行うためにコンピュータによって実行可能なコードを備える非一時的コンピュータ読取可能媒体を有する、非静止軌道（ＮＧＳＯ）衛星ネットワーク内の通信のためのコンピュータプログラム製品を含み得、ここにおいて、データは、地上波通信リンクを介して第１の地上端末から１つまたは複数の第２の地上端末に転送される、非静止軌道（ＮＧＳＯ）衛星ネットワーク内の通信のためのコンピュータプログラム製品の例を提示する。
【００１４】
[0014]  前述した目的および関連する目的を達成するために、１つまたは複数の態様は、以下で十分に説明され、請求項において具体的に示される特徴を備える。下記の説明および添付された図面は、１つまたは複数の態様の特定の例示的な特徴を詳細に記載する。しかしながら、これらの特徴は、様々な態様の原理が用いられ得る様々な方法のうちのごく一部を示すものであり、本説明は、全てのこのような態様およびそれらの同等物を含むことが意図される。
【図面の簡単な説明】
【００１５】
【図１】[0015]  図１は、本開示の態様における、ネットワークの例を概念的に図示する図である。
【図２】[0016]  図２は、本開示の態様における、リレーマネージャの例を図示するブロック図である。
【図３】[0017]  図３は、本開示の態様における、地上端末マネージャの例を図示するブロック図である。
【図４】[0018]  図４は、本開示の態様における、非静止軌道（ＮＧＳＯ）衛星ネットワーク内の通信についてのフローチャートの例を図示する。
【図５】[0018]  図５は、本開示の態様における、非静止軌道（ＮＧＳＯ）衛星ネットワーク内の通信についてのフローチャートのさらなる例を図示する。
【図６】[0020]  図６は、本開示の態様における、電子コンポーネントの論理グルーピングのブロック図の例を図示する。
【図７】[0021]  図７は、本開示の態様における、電子コンポーネントの論理グルーピングのブロック図のさらなる例を図示する。
【図８】[0022]  図８は、本開示によるコンピュータデバイスの態様を図示するブロック図である。
【図９】[0023]  図９は、処理システムを用いる装置のためのハードウェア実装の例を図示するブロック図である。
【発明を実施するための形態】
【００１６】
[0024]  添付の図面に関連して下記に記載される詳細な説明は、様々な構成の説明が意図されたものであり、本明細書で説明される概念が実現され得る唯一の構成を表すことが意図されるものではない。詳細な説明は、様々な概念の完全な理解を提供する目的で、具体的な詳細を含む。しかしながら、これらの概念がこれらの具体的な詳細なしで実現され得ることは、当業者に対して明らかであるだろう。いくつかの事例では、周知の構造およびコンポーネントが、そのような概念を曖昧にすることを避けるために、ブロック図形式で示される。
【００１７】
[0025]  本開示の態様は、一般に、非静止軌道（ＮＧＳＯ）衛星ネットワーク内の通信に関する。
【００１８】
[0026]  図１を参照すると、ブロードバンドインターネットアクセスサービスを家庭および／または企業に提供するための通信を容易にする、非静止軌道（ＮＧＳＯ）または低地球軌道（ＬＥＯ）衛星ネットワーク１００が図示される。ある態様では、システム１００は、例えば、間接的にまたは直接、互いに通信し得る、ＮＧＳＯ衛星１１０および／または１２０などの、ＮＧＳＯ衛星のネットワークを含む。
【００１９】
[0027]  ある態様では、衛星１１０および１２０は、互いに、またはリレーノード１５０を介して間接的に、衛星ネットワーク１００内の他の衛星と通信し得る。例えば、ある態様では、リレーノード１５０は、データ（またはトラフィック）を衛星１１０から受信しデータを衛星１２０に送信し、および／またはデータを衛星１２０から受信しデータを衛星１１０に送信するための媒介として動作するように構成され得る。ある態様では、リレーノード１５０は、例えば、図１で示されるような衛星１１０および１２０などの、第１の衛星および／または第２の衛星に関連付けられた境界または共通ビームエリアに位置付けられ得る。
【００２０】
[0028]  ある態様では、衛星１１０および／または１２０は、衛星の電波到達範囲が数千キロメートル(a few thousand kilometers)をカバーするように、複数のビームで構成され得る。例えば、衛星１１０は、ビーム１１２、１１４、および／または１１６で構成され得、衛星１２０は、ビーム１２２、１２４、および／または１２６で構成され得る。衛星１１０および１２０は、３つのビームを用いて示される（図１）が、ＮＧＳＯ衛星ネットワーク１００内の衛星の各々は、例えば、１０、２０、３０、４０、または５０などといった、任意の数のビームで構成され得る。例となる態様では、ＮＧＳＯ衛星の１０〜１５のビームは、約４０００キロメートルの電波到達範囲を得るのに十分であり得る。
【００２１】
[0029]  さらなる態様では、インターネットポイントオブプレゼンス（ＩＰＰ）１６０が衛星の電波到達範囲内の少なくとも１つのロケーションに存在する程度に、衛星の電波到達範囲が十分大きいものであるように、衛星のビームの数が選択され得る。さらなる態様では、衛星ゲートウェイ（ＳＧＷ）は、インターネットへの通信経路を提供するために、ＩＰＰにおいて構築され得る。すなわち、家庭および／または企業からのデータまたはトラフィックは、衛星に送られ、次に、衛星からインターネットへとルーティングされるＩＰＰにおける衛星ゲートウェイにリレーされる。同様に、ＮＧＳＯ衛星のカバレッジエリア内の家庭および／または企業行きであるデータは、家庭／企業に送信される衛星のＩＰＰを介して送られる。さらなるまたは任意の態様では、ＩＰＰ／ＳＧＷ１６０は、衛星１１０の１つまたは複数のビーム（例えば、１１２、１１４、および／または１１６）、並びに／あるいは衛星１２０の１つまたは複数のビーム（例えば、１２２、１２４、および／または１２６）への接続性を有し得る。
【００２２】
[0030]  ある態様では、衛星の電波到達範囲内にＩＰＰがないとき、家庭および／または企業へのブロードバンドインターネットアクセスを提供するための通信を容易にするために、１つまたは複数のリレーノードが使用され得る。例えば、ある態様では、衛星の電波到達範囲内、および／または衛星の境界に存在するリレーノード１５０は、通信を提供する際に補助し得る。例えば、ある態様では、その電波到達範囲にＩＰＰを有していない１つの衛星（例えば、衛星１１０）からのトラフィックはリレーノード１５０に送られ得、それは、衛星１１０と１２０の境界に位置付けられ得る。リレーノード１５０は、トラフィックを衛星１１０から、例えば衛星１２０などの隣接する衛星に順にリレー（すなわち、送信または転送）し得る。隣接する衛星、衛星１２０が、その電波到達範囲にＩＰＰを有する場合、次に衛星１２０は、衛星１１０から受信したトラフィックを、１つまたは複数の地上端末１７２および１８２へと配信されるように、インターネットにルーティングされ得るＩＰＰ／ＳＧＷ １６０へと送信する。さらなるまたは任意の態様では、衛星は、データが意図された隣接する衛星のロケーション、および／または地上端末のロケーションに応じて、どのリレーノードを使用するかを決定するように構成され得る。
【００２３】
[0031]  さらなる態様では、ＩＰＰに到達するための、１つの衛星から別の衛星へのトラフィックのオンボードスイッチング（on board switching）またはトラフィックのルーティングは、リレーノードおよび／またはＩＰＰと連携して動くマルチビームＮＧＳＯ衛星のネットワークが、家庭および／または企業へブロードバンドインターネットサービスを提供するための、シンプルかつ低コストなメカニズムを提供するため、必要とされない。さらなる態様では、上述されるようなメカニズムは、各衛星が複数のビームを有するためにより高い容量を提供し得、またオンボードの衛星処理とルーティング、および／またはオンボードのトランスポンダ（transponder）機能を有していない可能性がある。
【００２４】
[0032]  ある態様では、１つまたは複数の地上端末（例えば、１７２）は、指定された地上端末１７２として構成され得る。例えば、ある態様では、指定された地上端末は、衛星アンテナ１７０と地上波アンテナ１８０とで構成され得る。衛星アンテナ１７０は、高データレート通信をサポートするために、および衛星のコストを低く保つために、地上波アンテナ１８０よりも比較的大きいものである。例えば、指定された地上端末１７２の衛星アンテナ１７０が十分大きくない場合、衛星１１０および１２０はより高い電力での送信（例えば、より高い等価等方放射電力（ＥＩＲＰ：equivalent isotropically radiated power））を要求され、および／または衛星から／衛星への、端末へ／端末からの高データレートを得るために、高い性能指数（high figure of merit）（例えば、Ｇ／Ｔ）を有し得、ここにおいて、Ｇ／Ｔは、衛星システムのための性能指数であり、Ｇは受信アンテナ利得であり、Ｔはアンテナノイズ温度と受信機ノイズ温度を含み得るシステムノイズ温度である。加えて、衛星からの高ＥＩＲＰは、順に、衛星において高いＤＣ電力を要求し得、衛星のコストを増加させ得る衛星において、大きなアンテナおよび／または高電力増幅器（ＰＡ）の電力を要求し得る。
【００２５】
[0033]  加えて、地上端末（例えば、指定された地上端末）における大きなアンテナの使用は様々な利益を提供するため、指定された地上端末についての図１を参照して上述されるメカニズムは、地上ネットワークのコストを増加させることなく、衛星リンクのためのより大きいアンテナを使用する。例えば、１つの利点は、衛星におけるＥＩＲＰおよびＧ／Ｔの要求を低減することであり得、それにより、上述されるような衛星コストを低減させる。さらなる利点は、指定された地上端末への衛星からのリンクの容量を増加させることであり得、逆もまた同様である。増加された容量は、必要とされる衛星の数を低減するのを手助けし得、それは、順に空間セグメントのコストを低減し得る。
【００２６】
[0034]  さらなる態様では、指定された地上端末１７２の地上波アンテナ１８０は、他の地上端末１８２との地上波通信をサポートする。すなわち、指定された地上端末１７２の衛星アンテナ１７０で受信されたデータは、指定された地上端末１７２の地上波アンテナ１８０を介して、様々な地上端末１８２に分散され得る。さらなる態様では、指定された地上端末１７２のアンテナ１７０および１８０は、指定された地上端末１７２に位置合わせされ（co-located）得る。任意の態様ではさらに、アンテナ１７０および１８０は、統合され得る。
【００２７】
[0035]  例えば、指定された地上端末からのデータは地上波リンクを使用して他の端末に分散され得、地上端末間の通信メカニズムは多くの方法で行われ得る。例えば、ある態様では、地上波リンクは、各地上端末が地上波アンテナを使用してワイヤレスで指定された地上端末と直接通信し得る、スター型ネットワークであり得る。さらなる態様では、指定された家庭の端末からのデータは、地上端末間のアドホックまたは網目状のネットワークを使用して、他の地上端末に送信され得る。例えば、ある態様では、各地上端末は、それが隣接する地上端末との通信を確立するために使用し得るアンテナを有し得る。各地上端末は、アグリゲートされたデータのストリームが、アグリゲートされたデータを衛星（例えば、衛星１２０）に送ることができる指定された各地上端末に到達するまで、データをチェーン（chain）で他の地上端末から次の地上端末へとリレーし得、また衛星は、上述されるように、データをインターネットに送り得る。
【００２８】
[0036]  インターネットからのデータは、衛星から指定された地上端末へ送られ得、次に、上述されるのと同じアドホックネットワークを使用して、他の家庭へと分散される。従って、上述される態様では、地上端末からインターネットへの接続性を提供するための、衛星接続および地上波のアドホックネットワークの組み合わせが説明されている。
【００２９】
[0037]  さらなる態様では、上述される地上波アドホックネットワークのために、スモールセル間のバックホールのために使用されるメカニズムが使用され得る。例えば、これは、指定された地上端末と地上波アドホックネットワーク・ベースのバックホールシステムとの混合であり得る。このアプローチは、衛星リンク容量を増加させることによる空間セグメントコストを減少させる一方、各家庭における衛星のモデム／アンテナを有するものと大体同じコストで、地上ネットワークのコストを保持し得る。
【００３０】
[0038]  ある態様では、増加的冗長性（ＩＲ：Incremental Redundancy）は、衛星リンクのために使用され得る。例えば、衛星から指定された地上端末へのダウンリンク上の指定された地上端末で見られるキャリア対干渉比（Ｃ／Ｉ）、または衛星におけるアップリンク上で見られるＣ／Ｉは、指定された地上端末のロケーションに応じて変化し得る。Ｃ／Ｉは、近接するビーム、または他の指定された地上端末が、ＮＧＳＯ衛星が移動するにつれてそれぞれの衛星ビームの異なる利得を用いて送信するか否かに基づき得る。
【００３１】
[0039]  ある態様では、衛星１１０および１２０からの送信および／または衛星１１０および１２０への送信において、低いパケット誤り率を維持するために、データは、例えば低いデータレートといったように、控えめに（conservatively）送信され得る。これは、キャリア対干渉比（Ｃ／Ｉ）が、タイムスロット中の干渉に起因して下がったとしても、送信された／受信されたパケットは、未だ高い確率で正確に復号されることを保証し得る。しかしながら、低いデータレートという控えめの選択は、衛星容量（satellite capacity）の低下、および同じターゲットネットワーク容量に対する衛星の増加に帰着する。
【００３２】
[0040]  例えば、ＮＧＳＯまたはＬＥＯ衛星は、空中を移動し、所与の地上端末（例えば、指定された地上端末１７２）で見られるそれらのビームの利得は、衛星のビームが所与の指定された地上端末における一定の利得を保つために動的にステアリングされ（steered）ない場合、変化し得る。しかしながら、所与のロケーションにおいて一定の利得を保つために、衛星が移動するにつれて衛星のビームをステアリングすることは、衛星にとって犠牲の大きいものであり得る。狭ビームを用いたＮＧＳＯ衛星システムにおけるリンク上のフェーディングは非常に低く、上記アーティファクト（artifacts）が、ダウンリンク上の指定された地上端末において、またはアップリンク上の衛星において、動的に変化するＣ／Ｉをもたらし得る。
【００３３】
[0041]  さらなる態様では、増加的冗長性（ＩＲ）は、パケット誤り率を増加させることなく、より活動的な（aggressive）データレートをサポートするために使用され得る。例えば、ある態様では、データは、低い誤り訂正コードを使用して符号化され、第１の送信においてわずかな冗長ビットを使用する（すなわち、高データレートを得るために、第１の送信において高いレートの誤り訂正コードを選択する）。しかしながら、パケットが高い干渉または低い信号強度を経験し、受信機がパケットを成功裏に復号することができない場合、次に送信機は、最初の送信（すなわち、第１の送信）と組み合わせられ得る追加の冗長ビットを送り、パケットを復号するためにさらなる試みがなされる。このプロセスは、パケットが成功裏に復号されるまで継続される。
【００３４】
[0042]  ある態様では、ＩＲは、利用可能なＩ／Ｃと最も一致する活動的なデータレートの選択を可能にし、ネットワーク容量を増加させるメカニズムを提供する。しかしながら、データが復号される前にパケットが複数の冗長パケットの送信を必要とし得るため、復号遅延が増加され得る。しかしながら、３つ程度の送信が可能にされたとしても、全体の復号遅延は、ＮＧＳＯまたはＬＥＯ衛星のための一方向の遅延が地上端末（例えば、指定された地上端末）と衛星（例えば、１１０または１２０）との間で３ミリ秒程度の低さになり得るため、許容され得ると考えることができる。従って、ウェブブラウジングおよびストリーミングのような多くのアプリケーションについて、この遅延が許容される。
【００３５】
[0043]  さらなる態様では、高い帯域幅の要求を有するストリーミングアプリケーションにおいて、このさらなる遅延は、小さな弾性バッファを許容することによって、容易に緩和され得る。例えば、ＩＲの量は、特定のアプリケーションごとに調整され得る。加えて、ＩＲに起因する容量の増加は非常に高く、それは衛星容量を増加させ、従って、システムの空間セグメントのコストおよび要求される衛星の数を低減させるため、衛星システムにおいてそれを実装する価値がある。ある態様では、ＩＲに起因する遅延を低減するために、衛星は、地上の局にパケットを送り、さらなる遅延を招くのを避けるために、パケットを復号すること（すなわち、衛星においてＩＲを実装すること）を可能にするための、オンボードのモデムを含み得る。さらなる態様では、ＩＲは、オンボードの変調／復調と連携して構成され得る。
【００３６】
[0044]  ある態様では、周波数再利用１（frequency reuse of one）（すなわち、再利用１（reuse of 1））は、トラフィックのバリエーション、および全てのビームおよび／または全ての端末が全てのスロットで送信されないという事実を活かすために使用され得る。すなわち、上述される既知でないＣ／Ｉのバリエーションに関連付けられる欠点は、ＩＲを使用して解消され得る。これは、全てのビームおよび端末が絶えず送信を行っているシナリオと比較するとき、平均的なＣ／Ｉにおいて１から２ｄＢの増加をもたらし得る。例となる態様では、ＩＲと周波数再利用１との組み合わせは、高周波数再利用スキームよりも、より高い容量を引き起こし得る。
【００３７】
[0045]  さらなる態様では、容量の増加は、衛星またはそれらのビームを複数の列（rows）に分割すること、および２つの異なる周波数のうちの１つを各列に使用させること、または同じ周波数であるが異なるアンテナ偏波（例えば、左または右）を各代わりの列に使用させることによって得られ得る。任意の態様では、衛星に関連付けられた複数のビームは、複数の列および／または他の分離しているパターンに、グループ化され分離され得る。例となる態様では、これは、ビーム境界においてさえ、少なくとも０ｄＢのＣ／Ｉをもたらし得る。
【００３８】
[0046]  ある態様では、より多くの電力が、ＩＲを使用していない端末／アプリケーションのダウンリンク／アップリンクに割り当てられる。これは、遅延感知トラフィック（delay sensitive traffic）を有する端末のＣ／Ｉを改善し得、周波数再利用１を使用している間、ＩＲの遅延を許容することができない。例えば、ある態様では、必要である場合、いくつかの時間スロットが、より高い電力の使用に割り当てられ得る。また、端末は、これらが遅延感知データを送り、ＩＲを使用しない場合、これらの時間スロットにおいてより高い電力を使用することができ、そうでない場合、これらの時間スロットにおいてさえ、わずかな電力ＴＸを使用し得る。さらなるまたは任意の態様では、ある端末は、特定の端末がより高いＣ／Ｉを得ることを保証するために、指定された時間スロットにおいてより高い電力を許容され得る。言い換えると、それは、特定の端末について、その端末のためにより高い電力を送信することによって周波数再利用１の場合であっても、より高いＣ／Ｉが可能にされ得る。
【００３９】
[0047]  図２は、例示的なリレーマネージャ２０２、および、非静止軌道（ＮＧＳＯ）衛星ネットワークにおける通信のためのリレーマネージャ２０２に関するいくつかの態様に含まれ得る様々なコンポーネントを図示する。
【００４０】
[0048]  例えば、ある態様では、リレーマネージャ２０２は、１つまたは複数のデータ受信コンポーネント２０４および／またはデータリレーコンポーネント２０６を含み得る。例えば、ある態様では、衛星１１０が、衛星１１０に関連付けられた電波到達範囲内のインターネットポイントオブプレゼンスまたは衛星ゲートウェイにデータを送信しようとするとき、衛星１１０は、ＩＰＰがその電波到達範囲内で利用可能でないことを識別し得る。これは、例えばリレーノード１５０などのリレーノードにデータを送る衛星１１０をもたらし得る。
【００４１】
[0049]  ある態様では、リレーマネージャ２０２および／またはデータ受信コンポーネント２０４は、データをＮＧＳＯ衛星ネットワークの第１のＮＧＳＯ衛星から受信するように構成され得る。例えば、ある態様では、衛星１１０が、ＩＰＰが衛星１１０に関連付けられたビーム１１２、１１４および／または１１６のうちの少なくとも１つで利用可能でないことを識別した後に、データをリレーノードに送信するとき、データ受信コンポーネント２０４は、データを衛星１１０から受信するように構成され得る。さらなる態様では、リレーノードは、例えば、衛星１１０および１２０などの、第１および／または第２の衛星に関連付けられた、境界または共通ビームエリアに位置付けられ、衛星１２０と通信するように構成され得る。
【００４２】
[0050]  ある態様では、リレーマネージャ２０２および／またはデータリレーコンポーネント２０６は、データをリレーノードからＮＧＳＯ衛星ネットワークの第２のＮＧＳＯ衛星にリレーするように構成され得る。例えば、ある態様では、データリレーコンポーネント２０６は、衛星１１０から受信されたデータを衛星１２０へリレーするように構成され得る。ある態様では、衛星１１０は、選択されたリレーノードがその電波到達範囲においてＩＰＰを有する衛星と通信し得るかどうかに基づいて、リレーノードを選択し得る。例となる態様では、リレーノードは、衛星（例えば、衛星１１０）がどのリレーノードを使用するかを決定するための情報を使用し得るように、リレーノードが通信することができる衛星のリストを記憶し得る。
【００４３】
[0051]  さらなるまたは任意の態様では、リレーマネージャ２０２は、増加的冗長性（ＩＲ）を用いて符号化されるデータを受信および／または送信するように構成され得る。これは、衛星１１０が、衛星容量を増加させるのと同時に、より高いデータレートにおいてリレーノードにデータを送信することを可能にする。さらなる追加の態様では、ＩＲは、データをリレーノードから衛星１２０に送信するために使用され得る。
【００４４】
[0052]  図３は、非静止軌道（ＮＧＳＯ）衛星ネットワークにおける通信のための地上端末マネージャ３０２に関するいくつかの態様に含まれ得る、例示的な地上端末マネージャ３０２および様々なコンポーネントを図示する。
【００４５】
[0053]  例えば、ある態様では、地上端末マネージャ３０２は、１つまたは複数のデータ受信コンポーネント３０４および／またはデータ送信コンポーネント４０６を含み得る。
【００４６】
[0054]  ある態様では、地上端末マネージャ３０２および／またはデータ受信コンポーネント３０４は、第１の地上端末において、データをＮＧＳＯ衛星ネットワークのＮＧＳＯ衛星から受信するように構成され得、ここにおいて、第１の地上端末は、ＮＧＳＯ衛星への衛星通信リンクを有する指定された地上端末である。例えば、ある態様では、データ受信コンポーネント３０４は、データを衛星１１０および／または１２０から受信するように構成され得る。
【００４７】
[0055]  ある態様では、地上端末マネージャ３０２および／またはデータ送信コンポーネント３０６は、データを第１の地上端末から１つまたは複数の第２の地上端末に送信するように構成され得、ここにおいて、データは、地上波通信リンクを介して第１の地上端末から１つまたは複数の第２の地上端末に転送される。例えば、ある態様は、地上端末マネージャ３０２および／またはデータ送信コンポーネント３０６は、衛星ゲートウェイ１６４から受信されたデータを１つまたは複数の地上端末１８２に、送信（例えば、配信）するように構成され得る。ある態様では、指定された端末は、データまたはトラフィックを他の地上端末１８２に配信するために、地上波アンテナ１８０を使用し得る。
【００４８】
[0056]  図４は、非静止（ＮＧＳＯ）衛星ネットワーク内の通信についての例示的な方法論４００を図示する。ある態様では、ブロック４０２において、方法論４００は、リレーノードにおいて、データをＮＧＳＯ衛星ネットワークの第１のＮＧＳＯ衛星から受信することを含み得、ここにおいて、リレーノードは、ＮＧＳＯ衛星ネットワークの第１の衛星および第２の衛星に関連付けられた境界または共通ビームエリアに位置付けられる。例えば、リレーマネージャ２０２および／またはデータ受信コンポーネント２０４は、データをＮＧＳＯ衛星ネットワークの第１のＮＧＳＯ衛星（例えば、衛星１１０）から受信し得る。
【００４９】
[0057]  加えて、ブロック４０４において、方法論４００は、データをリレーノードからＮＧＳＯ衛星ネットワークの第２のＮＧＳＯ衛星にリレーすることを含み得る。例えば、ある態様では、リレーマネージャ２０２および／またはデータリレーコンポーネント２０６は、データをリレーノード（例えば、リレーノード２５０）からＮＧＳＯ衛星ネットワークの第２のＮＧＳＯ衛星（例えば、衛星１２０）にリレーするように構成され得る。
【００５０】
[0058]  図５は、非静止（ＮＧＳＯ）衛星ネットワーク内の通信についての例示的な方法論５００を図示する。ある態様では、地上端末５０２において、方法論５００は、第１の地上端末において、データをＮＧＳＯ衛星ネットワークのＮＧＳＯ衛星から受信することを含み得、ここにおいて第１の地上端末は、ＮＧＳＯ衛星への衛星通信リンクを有する指定された地上端末である。例えば、地上端末マネージャ３０２および／またはデータ受信コンポーネント３０４は、第１の地上端末において、受信データをＮＧＳＯ衛星ネットワークのＮＧＳＯ衛星から受信し得る。
【００５１】
[0059]  加えて、ブロック５０４において、方法論５００は、データを第１の地上端末から１つまたは複数の第２の地上端末に送信することを含み得、ここにおいて、データは、地上波通信リンクを介して第１の地上端末から１つまたは複数の第２の地上端末に転送される。例えば、ある態様では、地上端末マネージャ３０２および／またはデータ受信コンポーネント３０６は、データを第１の地上端末から１つまたは複数の第２の地上端末に送信するように構成され得る。
【００５２】
[0060]  図６を参照すると、例示的なシステム６００は、非静止軌道（ＮＧＳＯ）衛星ネットワーク内の通信のために配置される。
【００５３】
[0061]  例えば、システム６００は、例えばリレーノード１５０（図１）および／またはリレーマネージャ２０２（図１−２）などのリレーノード内に少なくとも部分的に存在し得る。システム６００は、プロセッサ、ソフトウェア、またはこれらの組み合わせ（例えば、ファームウェア）によって実装される機能を表す機能ブロックであり得る、機能ブロックを含むものとして表されていることが理解されるべきである。システム６００は、連携して動作し得る電子コンポーネントの論理グルーピング６０２を含む。例えば、論理グルーピング６０２は、リレーノードにおいて、データをＮＧＳＯ衛星ネットワークの第１のＮＧＳＯ衛星から受信するための電子コンポーネント６０４を含み得、ここにおいて、リレーノードは、ＮＧＳＯ衛星ネットワークの第１の衛星および第２の衛星に関連付けられた境界または共通ビームエリアに位置付けられ、データは、インターネットポイントオブプレゼンス（ＩＰＰ）が、第１のＮＧＳＯ衛星に関連付けられた複数のビームのうちの少なくとも１つで利用可能でないことを第１のＮＧＳＯ衛星によって識別することに応答して、リレーノードにおいて受信される。ある態様では、電子コンポーネント６０４は、リレーマネージャ２０２（図１）および／またはデータ受信コンポーネント２０４（図２）を備え得る。
【００５４】
[0062]  加えて、論理グルーピング６０２は、データをリレーノードからＮＧＳＯ衛星ネットワークの第２のＮＧＳＯ衛星にリレーするための電子コンポーネント６０６を含み得、ここにおいて、ＩＰＰは、第２のＮＧＳＯ衛星に関連付けられた複数のビームのうちの少なくとも１つで利用可能である。ある態様では、電子コンポーネント６０６は、リレーマネージャ２０２（図１）および／またはデータリレーコンポーネント２０６（図２）を備え得る。
【００５５】
[0063]  加えて、システム６００は、電子コンポーネント６０４および６０６に関連付けられた機能を実行するための命令を保持し、電子コンポーネント６０４、６０６などによって使用されるまたは得られるデータを記憶するメモリ６０８を含み得る。メモリ６０８の外部にあると示されているが、電子コンポーネント６０４および６０６のうちの１つまたは複数がメモリ６０８内に存在し得ることが理解されるべきである。１つの例では、電子コンポーネント６０４および６０６は、少なくとも１つのプロセッサを含み得るか、または各電子コンポーネント６０４および６０６は、少なくとも１つのプロセッサの対応するモジュールであり得る。さらに、さらなるまたは代替の例では、電子コンポーネント６０４および６０６は、コンピュータ読取可能媒体を含むコンピュータプログラム製品であり得、ここで、各電子コンポーネント６０４および６０６は、対応するコードであり得る。
【００５６】
[0061]  図７を参照すると、例示的なシステム７００は、非静止軌道（ＮＧＳＯ）衛星ネットワーク内の通信のために配置される。
【００５７】
[0065]  例えば、システム７００は、少なくとも部分的に、指定された地上端末または地上端末（図１）、あるいは地上端末マネージャ３０２（図３）内に存在し得る。システム７００は、プロセッサ、ソフトウェア、またはこれらの組み合わせ（例えば、ファームウェア）によって実装される機能を表す機能ブロックであり得る、機能ブロックを含むものとして表されていることが理解されるべきである。システム７００は、連携して動作し得る電子コンポーネントの論理グルーピング７０２を含む。例えば、論理グルーピング７０２は、第１の地上端末において、データをＮＧＳＯ衛星ネットワークのＮＧＳＯ衛星から受信するための電子コンポーネント７０４を含み得、ここにおいて第１の地上端末は、ＮＧＳＯ衛星への衛星通信リンクを有する指定された地上端末である。ある態様では、電子コンポーネント７０４は、指定された地上端末または地上端末（図１）、地上端末マネージャ３０２（図３）、および／またはデータ受信コンポーネント３０４（図３）を備え得る。
【００５８】
[0066]  加えて、論理グルーピング７０２は、データを第１の地上端末から１つまたは複数の第２の地上端末に送信するための電子コンポーネント７０６を含み得、ここにおいて、データは、地上波通信リンクを介して第１の地上端末から１つまたは複数の第２の地上端末に転送される。ある態様では、電子コンポーネント７０６は、指定された地上端末または地上端末（図１）、地上端末マネージャ３０２（図３）、および／またはデータ送信コンポーネント３０６（図３）を備え得る。
【００５９】
[0067]  加えて、システム７００は、電子コンポーネント７０４および７０６に関連付けられた機能を実行するための命令を保持し、電子コンポーネント７０４および７０６などによって使用されるまたは得られるデータを記憶するメモリ７０８を含み得る。メモリ７０８の外部にあると示されているが、電子コンポーネント７０４および７０６のうちの１つまたは複数がメモリ７０８内に存在し得ることが理解されるべきである。１つの例では、電子コンポーネント７０４および７０６は、少なくとも１つのプロセッサを含み得るか、または各電子コンポーネント７０４および７０６は、少なくとも１つのプロセッサの対応するモジュールであり得る。さらに、さらなるまたは代替の例では、電子コンポーネント７０４および７０６は、コンピュータ読取可能媒体を含むコンピュータプログラム製品であり得、ここで、各電子コンポーネント７０４および７０６は、対応するコードであり得る。
【００６０】
[0068]  図８を参照すると、ある態様では、リレーマネージャ２０２および／または地上端末マネージャ３０２は、特にプログラムされたまたは構成されたコンピュータデバイス８００によって示され得る。ある実装の態様では、コンピュータデバイス８００は、特別にプログラムされたコンピュータ読取可能な指示またはコード、ファームウェア、ハードウェア、またはそれらのいくつかの組み合わせになどにおいて、リレーマネージャ２０２および／または地上端末マネージャ３０２（図３−２）を含み得る。コンピュータデバイス８００は、本明細書で説明されるコンポーネントおよび機能のうちの１つまたは複数に関連付けられた処理機能を行うためのプロセッサ８０２を含む。プロセッサ８０２は、プロセッサまたはマルチコアプロセッサの単一のまたは複数のセットを含み得る。さらに、プロセッサ８０２は、統合された処理システムおよび／または分散された処理システムとして実装され得る。
【００６１】
[0069]  コンピュータデバイス８００はさらに、本明細書で使用されたデータを記憶するための、および／またはプロセッサ８０２によって実行されるアプリケーションのローカルバージョンのようなメモリ８０４を含む。メモリ８０４は、ランダムアクセスメモリ（ＲＡＭ）、読取専用メモリ（ＲＯＭ）、テープ、磁気ディスク、光ディスク、揮発性メモリ、不揮発性メモリ、およびそれらの任意の組み合わせのような、コンピュータによって使用可能なメモリのいずれかのタイプを含み得る。
【００６２】
[0070]  さらに、コンピュータデバイス８００は、本明細書で説明されるような、ハードウェア、ソフトウェア、およびサービスを利用する１つまたは複数のパーティとの通信を設立することおよび維持することを提供する、通信コンポーネント８０６を含む。通信コンポーネント８０６は、コンピュータデバイス８００上のコンポーネント間の通信を搬送し得、同様に、通信ネットワークにわたって位置付けられるデバイスおよび／またはコンピュータデバイス８００に連続的にまたは局所的に接続されたデバイスのような外部デバイスと、コンピュータデバイス８００との間も搬送し得る。例えば、通信コンポーネント８０６は、１つまたは複数のバスを含み得、外部デバイスとインターフェースするために動作可能な、トランシーバ、または送信機と受信機とにそれぞれ関連付けられた、送信チェーンコンポーネントおよび受信チェーンコンポーネントをさらに含み得る。さらなる態様では、通信コンポーネント８０６は、１つまたは複数のサブキャリアネットワークから１つまたは複数のページを受信するように構成され得る。さらなる態様では、このようなページは、第２の加入者に対応し得、第１の技術タイプ通信サービスを介して受信され得る。
【００６３】
[0071]  加えて、コンピュータデバイス８００はさらに、データストア８０８を含み得、それは、本明細書で説明された態様に関連して用いられる情報、データベース、およびプログラムのマスストレージを提供する、ハードウェアおよび／またはソフトウェアの任意の適切な組み合わせであり得る。例えば、データストア８０８は、プロセッサ８０２によって現在実行されていないアプリケーションおよび／または任意の閾値または指位置の値（finger position values）のためのデータリポジトリであり得る。
【００６４】
[0072]  コンピュータデバイス８００は、コンピュータデバイス８００のユーザからの入力を受信するために動作可能な、およびユーザへのプレゼンテーションのための出力を生成するためにさらに動作可能なユーザインターフェースコンポーネント８１０をさらに含み得る。ユーザインターフェースコンポーネント８１０は、キーボード、数字キーパッド、マウス、タッチ感知ディスプレイ、ナビゲーションキー、ファンクションキー、マイクロフォン、音声認識コンポーネント、ユーザからの有力を受信することができる任意の他のメカニズム、またはこれらの組み合わせを含むが、これらに限定されない、１つまたは複数の入力デバイスを含み得る。さらに、ユーザインターフェースコンポーネント８１０は、ディスプレイ、スピーカ、触覚フィードバックメカニズム（haptic feedback mechanism）、プリンタ、ユーザへの出力を提示することができる任意の他のメカニズム、または任意のこれらの組み合わせを含むが、これらに限定されない、１つまたは複数の出力デバイスを含み得る。
【００６５】
[0073]  図９は、非静止軌道（ＮＧＳＯ）衛星ネットワーク内の通信のための方法のような、本開示の態様を実行するための処理システムを用いた、例えばリレーマネージャ２０２および／または地上端末マネージャ３０２（図２−３）などを含む装置９００のためのハードウェア実装の例を図示するブロック図である。この例では、処理システム９１４は、バス９０２によって一般的に表されたバスアーキテクチャを用いて実装され得る。バス９０２は、処理システム９１４の特定のアプリケーションと全体的な設計制約に応じて、任意の数の相互接続バスおよびブリッジを含み得る。バス９０２は、リレーマネージャ２０２および／または地上端末マネージャ３０２（図２−３）などに制限されないが、本明細書で説明されるコンピュータ読取可能媒体９０６と、１つまたは複数のコンポーネントとによって一般に表される、プロセッサ９０４、コンピュータ読取可能媒体によって一般に表される１つまたは複数のプロセッサを含む様々な回路を一緒にリンクさせる。バス９０２はまた、タイミングソース、周辺機器、電圧レギュレータ、および電力管理回路などの様々な他の回路をリンクし得、これらは、当該技術分野において周知であり、従って、これ以上は説明されない。バスインターフェース９０８は、バス９０２とトランシーバ９１０との間のインターフェースを提供する。トランシーバ９１０は、送信媒体を介して様々な他の装置と通信するための手段を提供する。装置の性質に応じて、ユーザインターフェース９１２（たとえば、キーパッド、ディスプレイ、スピーカ、マイクロフォン、ジョイスティック）もまた提供され得る。
【００６６】
[0074]  プロセッサ９０４は、バス９０２の管理、およびコンピュータ読取可能媒体９０６に記憶されたソフトウェアの実行を含む一般的な処理を担当する。このソフトウェアは、プロセッサによって実行されると、処理システム９１４に、任意の特定の装置に関して後に説明される様々な機能を実行させる。コンピュータ読取可能媒体９０６はまた、ソフトウェアを実行するとき、プロセッサ９０４によって操作されるデータを記憶するために使用され得る。
【００６７】
[0075]  本開示の様々な態様に従って、エレメントまたはエレメントの任意の一部、あるいはエレメントの任意の組み合わせは、１つまたは複数のプロセッサを含む「処理システム」を用いて実装され得る。プロセッサの例は、本開示を通して説明される様々な機能を行うように構成された、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲートロジック、離散ハードウェア回路、および他の適切なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはその他の名称で呼ばれるかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。ソフトウェアは、コンピュータ読取可能媒体上に存在し得る。コンピュータ読取可能媒体は、非一時的なコンピュータ読取可能媒体であり得る。非一時的なコンピュータ読取可能媒体は、例として、コンピュータによってアクセスされ得るおよび読み取られ得るソフトウェアおよび／または命令を記憶するための、磁気記憶デバイス（例えば、ハードディスク、フロッピー（登録商標）ディスク、磁気ストリップ）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および任意の他の適切な媒体を含む。
【００６８】
[0076]  コンピュータ読取可能媒体はまた、例として、コンピュータによってアクセスされ得るおよび読み取られ得るソフトウェアおよび／または命令を送信するための、搬送波、送信回線、および任意の他の適切な媒体を含み得る。コンピュータ読取可能媒体は、処理システム内に、および処理システムの外部に存在し得るか、または処理システムを含む多数のエンティティにわたって分散され得る。コンピュータ読取可能媒体は、コンピュータプログラム製品で具現化され得る。例として、コンピュータプログラム製品は、パッケージング材料内のコンピュータ読取可能媒体を含み得る。当業者は、システム全体に課された特定のアプリケーションおよび全体的な設計の制約に応じて、本開示全体を通して提示された説明される機能をどのように実現することが最善かを認識するだろう。
【００６９】
[0077]  開示された方法におけるステップの特定の順序または階層は、例示的なプロセスの例であると理解されるべきである。設計の選好に基づいて、これら方法におけるステップの特定の順序または階層が並べ替えられ得ることが理解される。添付の方法の請求項は、本明細書に特に記載されない限り、サンプルの順序において、様々なステップの要素を表し、表された特定の順序または階層に限定されることが意図されるものではない。
【００７０】
[0078]  先の説明は、当業者に、本明細書で説明された様々な態様の実現を可能にするために提供されている。これらの態様に対する様々な修正は、当業者には容易に明らかになり、本明細書で定義された包括的な原理は、他の態様に適用され得る。よって、請求項は、本明細書に示される態様に限定されることが意図されたものではなく、請求項の文言と矛盾しない最大範囲であると認められるべきであり、ここにおいて、単数のエレメントへの参照は、そのように明確に記載されていない限り、「１つおよび１つのみ」を意味するのではなく、むしろ「１つまたは複数」を意味することが意図されている。そうでないことが明確に記載されていない限り、「いくつかの」という用語は１つまたは複数を指す。項目のリスト「のうちの少なくとも１つ」を指すフレーズは、単一の要素を含む、それらの項目の任意の組み合わせを指す。例として、「ａ，ｂ，またはｃのうちの少なくとも１つ」は、「ａ，ｂ，ｃ，ａおよびｂ，ａおよびｃ，ｂおよびｃ，並びにａ，ｂ，およびｃ」を含むことが意図される。当業者に対して既知である、あるいは後に既知となる、本開示を通して説明された多様な態様の要素に対する全ての構造的および機能的に同等なものは、参照によって本明細書に明確に組み込まれ、請求項によって包含されることが意図される。さらに、本明細書で開示されたものはどれも、そのような開示が請求項において明示的に記載されているかどうかに関わらず公共に寄与されことが意図されるものではない。請求項のどのエレメントも、そのエレメントが明確に「〜のための手段」という句を使用して記載されていない限り、または、方法の請求項の場合には、そのエレメントが「〜するためのステップ」という句を使用して記載されていない限り、米国特許法第１１２条６項の規定のもとで解釈されるべきではない。
【図１】
2016530832.tif 000003
【図２】
2016530832.tif 000004
【図３】
2016530832.tif 000005
【図４】
2016530832.tif 000006
【図５】
2016530832.tif 000007
【図６】
2016530832.tif 000008
【図７】
2016530832.tif 000009
【図８】
2016530832.tif 000010
【図９】
2016530832.tif 000011
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
非静止軌道（ＮＧＳＯ）衛星ネットワーク内の通信のための方法であって、
インターネットポイントオブプレゼンス（ＩＰＰ）が、第１のＮＧＳＯ衛星に関連付けられた複数のビームのうちの少なくとも１つで利用可能でないことを前記第１のＮＧＳＯ衛星によって識別することと、
前記識別することに基づいて、データを前記ＮＧＳＯ衛星ネットワークの前記第１のＮＧＳＯ衛星からリレーノードにおいて受信することと、ここにおいて、前記リレーノードは、前記ＮＧＳＯ衛星ネットワークの前記第１の衛星および第２の衛星に関連付けられた境界または共通ビームエリアに位置付けられる、
前記データを前記リレーノードから前記ＮＧＳＯ衛星ネットワークの前記第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、方法。
【請求項２】
前記データを前記第２のＮＧＳＯ衛星から前記第２のＮＧＳＯ衛星の前記ＩＰＰに関連付けられたゲートウェイに送信すること
をさらに備える、請求項１に記載の方法。
【請求項３】
前記第１のＮＧＳＯ衛星から受信された前記データを復号すること
をさらに備え、
ここにおいて、前記受信されたデータは、前記リレーノードに送信するためにおよび前記リレーノードで受信するために増加的冗長性（ＩＲ）を使用して符号化される、請求項１に記載の方法。
【請求項４】
前記第１または前記第２の衛星に関連付けられたビームは、周波数再利用ファクター１を使用する、請求項３に記載の方法。
【請求項５】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項４に記載の方法。
【請求項６】
非静止軌道（ＮＧＳＯ）衛星ネットワーク内の通信のための装置であって、
インターネットポイントオブプレゼンス（ＩＰＰ）が、第１のＮＧＳＯ衛星に関連付けられた複数のビームのうちの少なくとも１つで利用可能でないことを前記第１のＮＧＳＯ衛星によって識別するための手段と、
前記識別することに基づいて、データを前記ＮＧＳＯ衛星ネットワークの前記第１のＮＧＳＯ衛星からリレーノードにおいて受信するための手段と、ここにおいて、前記リレーノードは、前記ＮＧＳＯ衛星ネットワークの前記第１の衛星および第２の衛星に関連付けられた境界または共通ビームエリアに位置付けられる、
前記データを前記リレーノードから前記ＮＧＳＯ衛星ネットワークの前記第２のＮＧＳＯ衛星にリレーするための手段と、
を備え、
ここにおいて、ＩＰＰは、前記第２のＮＧＳＯ衛星に関連付けられた複数のビームのうちの少なくとも１つで利用可能である、装置。
【請求項７】
前記データを前記第２のＮＧＳＯ衛星から前記第２のＮＧＳＯ衛星の前記ＩＰＰに関連付けられたゲートウェイに送信するための手段
をさらに備える、請求項６に記載の装置。
【請求項８】
前記第１のＮＧＳＯ衛星から受信された前記データを復号するための手段
をさらに備え、
ここにおいて、前記受信されたデータは、増加的冗長性（ＩＲ）を使用して符号化される、請求項６に記載の装置。
【請求項９】
前記第１または前記第２の衛星に関連付けられたビームは、周波数再利用ファクター１を使用する、請求項８に記載の装置。
【請求項１０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項９に記載の装置。
【請求項１１】
非静止軌道（ＮＧＳＯ）衛星ネットワーク内の通信のための装置であって、
インターネットポイントオブプレゼンス（ＩＰＰ）が、第１のＮＧＳＯ衛星に関連付けられた複数のビームのうちの少なくとも１つで利用可能でないことを前記第１のＮＧＳＯ衛星によって識別するように構成されたデータ受信コンポーネントと、
前記識別に基づいて、データを前記ＮＧＳＯ衛星ネットワークの前記第１のＮＧＳＯ衛星からリレーノードにおいて受信するようにさらに構成された前記データ受信コンポーネントと、ここにおいて、前記リレーノードは、前記ＮＧＳＯ衛星ネットワークの前記第１の衛星および第２の衛星に関連付けられた境界または共通ビームエリアに位置付けられる、
前記データを前記リレーノードから前記ＮＧＳＯ衛星ネットワークの前記第２のＮＧＳＯ衛星にリレーするように構成されたデータリレーコンポーネントと、
を備え、
ここにおいて、ＩＰＰは、前記第２のＮＧＳＯ衛星に関連付けられた複数のビームのうちの少なくとも１つで利用可能である、装置。
【請求項１２】
前記データを前記第２のＮＧＳＯ衛星から前記第２のＮＧＳＯ衛星の前記ＩＰＰに関連付けられたゲートウェイに送信すること
をさらに備える、請求項１１に記載の装置。
【請求項１３】
前記第１のＮＧＳＯ衛星から受信された前記データを復号すること、
をさらに備え、
ここにおいて、前記受信されたデータは、前記リレーノードに送信するためにおよび前記リレーノードで受信するために増加的冗長性（ＩＲ）を使用して符号化される、請求項１１に記載の装置。
【請求項１４】
前記第１または前記第２の衛星に関連付けられたビームは、周波数再利用ファクター１を使用する、請求項１３に記載の装置。
【請求項１５】
前記第１または前記第２の衛星に関連付けられた前記複数のビームは、干渉を低減するために異なるアンテナ偏波を使用して、近接するＮＧＳＯ衛星またはビームを有する複数の列にグループ化される、請求項１４に記載の装置。
【請求項１６】
非静止軌道（ＮＧＳＯ）衛星ネットワーク内の通信のためのコンピュータ実行可能コードを記憶するコンピュータ読取可能媒体であって、
インターネットポイントオブプレゼンス（ＩＰＰ）が、第１のＮＧＳＯ衛星に関連付けられた複数のビームのうちの少なくとも１つで利用可能でないことを前記第１のＮＧＳＯ衛星によって識別するためのコードと、
前記識別に基づいて、データを前記ＮＧＳＯ衛星ネットワークの前記第１のＮＧＳＯ衛星からリレーノードにおいて受信するためのコードと、ここにおいて、前記リレーノードは、前記ＮＧＳＯ衛星ネットワークの前記第１の衛星および第２の衛星に関連付けられた境界または共通ビームエリアに位置付けられる、
前記データを前記リレーノードから前記ＮＧＳＯ衛星ネットワークの前記第２のＮＧＳＯ衛星にリレーするためのコードと、
を備え、
ここにおいて、ＩＰＰは、前記第２のＮＧＳＯ衛星に関連付けられた複数のビームのうちの少なくとも１つで利用可能である、コンピュータ読取可能媒体。
【請求項１７】
前記データを前記第２のＮＧＳＯ衛星から前記第２のＮＧＳＯ衛星の前記ＩＰＰに関連付けられたゲートウェイに送信するためのコード
をさらに備える、請求項１６に記載のコンピュータ読取可能媒体。
【請求項１８】
前記第１のＮＧＳＯ衛星から受信された前記データを復号するためのコード
をさらに備え、
ここにおいて、前記受信されたデータは、前記リレーノードに送信するためにおよび前記リレーノードで受信するために増加的冗長性（ＩＲ）を使用して符号化される、請求項１６に記載のコンピュータ読取可能媒体。
【請求項１９】
前記第１または前記第２の衛星に関連付けられたビームは、周波数再利用ファクター１を使用する、請求項１８に記載のコンピュータ読取可能媒体。
【請求項２０】
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、請求項１９に記載のコンピュータ読取可能媒体。
【手続補正２】
【補正対象書類名】明細書
【補正対象項目名】００７０
【補正方法】変更
【補正の内容】
【００７０】
[0078]  先の説明は、当業者に、本明細書で説明された様々な態様の実現を可能にするために提供されている。これらの態様に対する様々な修正は、当業者には容易に明らかになり、本明細書で定義された包括的な原理は、他の態様に適用され得る。よって、請求項は、本明細書に示される態様に限定されることが意図されたものではなく、請求項の文言と矛盾しない最大範囲であると認められるべきであり、ここにおいて、単数のエレメントへの参照は、そのように明確に記載されていない限り、「１つおよび１つのみ」を意味するのではなく、むしろ「１つまたは複数」を意味することが意図されている。そうでないことが明確に記載されていない限り、「いくつかの」という用語は１つまたは複数を指す。項目のリスト「のうちの少なくとも１つ」を指すフレーズは、単一の要素を含む、それらの項目の任意の組み合わせを指す。例として、「ａ，ｂ，またはｃのうちの少なくとも１つ」は、「ａ，ｂ，ｃ，ａおよびｂ，ａおよびｃ，ｂおよびｃ，並びにａ，ｂ，およびｃ」を含むことが意図される。当業者に対して既知である、あるいは後に既知となる、本開示を通して説明された多様な態様の要素に対する全ての構造的および機能的に同等なものは、参照によって本明細書に明確に組み込まれ、請求項によって包含されることが意図される。さらに、本明細書で開示されたものはどれも、そのような開示が請求項において明示的に記載されているかどうかに関わらず公共に寄与されことが意図されるものではない。請求項のどのエレメントも、そのエレメントが明確に「〜のための手段」という句を使用して記載されていない限り、または、方法の請求項の場合には、そのエレメントが「〜するためのステップ」という句を使用して記載されていない限り、米国特許法第１１２条６項の規定のもとで解釈されるべきではない。
以下に、本願出願の当初の特許請求の範囲に記載された発明を付記する。
［Ｃ１］
非静止軌道（ＮＧＳＯ）衛星ネットワーク内の通信のための方法であって、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、方法。
［Ｃ２］
前記データを前記第２のＮＧＳＯ衛星から前記第２のＮＧＳＯ衛星のＩＰＰに関連付けられたゲートウェイに送信すること
をさらに備える、Ｃ１に記載の方法。
［Ｃ３］
前記第１のＮＧＳＯ衛星から受信された前記データを復号すること
をさらに備え、
ここにおいて、前記受信されたデータは、前記リレーノードに送信するためにおよび前記リレーノードで受信するために増加的冗長性（ＩＲ）を使用して符号化される、Ｃ１に記載の方法。
［Ｃ４］
前記第１または前記第２の衛星に関連付けられたビームは、周波数再利用ファクター１を使用する、Ｃ３に記載の方法。
［Ｃ５］
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、Ｃ４に記載の方法。
［Ｃ６］
非静止軌道（ＮＧＳＯ）衛星ネットワーク内の通信のための装置であって、
リレーノードにおいて、データを前記ＮＧＳＯ衛星ネットワークの第１のＮＧＳＯ衛星から受信するための手段と、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーするための手段と、
を備え、
ここにおいて、ＩＰＰは、前記第２のＮＧＳＯ衛星に関連付けられた複数のビームのうちの少なくとも１つで利用可能である、装置。
［Ｃ７］
前記データを前記第２のＮＧＳＯ衛星から前記第２のＮＧＳＯ衛星のＩＰＰに関連付けられたゲートウェイに送信するための手段
をさらに備える、Ｃ６に記載の装置。
［Ｃ８］
前記第１のＮＧＳＯ衛星から受信された前記データを復号するための手段
をさらに備え、
ここにおいて、前記受信されたデータは、増加的冗長性（ＩＲ）を使用して符号化される、Ｃ６に記載の装置。
［Ｃ９］
前記第１または前記第２の衛星に関連付けられたビームは、周波数再利用ファクター１を使用する、Ｃ８に記載の装置。
［Ｃ１０］
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、Ｃ９に記載の装置。
［Ｃ１１］
非静止軌道（ＮＧＳＯ）衛星ネットワーク内の通信のための装置であって、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を備え、
ここにおいて、ＩＰＰは、前記第２のＮＧＳＯ衛星に関連付けられた複数のビームのうちの少なくとも１つで利用可能である、装置。
［Ｃ１２］
前記データを前記第２のＮＧＳＯ衛星から前記第２のＮＧＳＯ衛星のＩＰＰに関連付けられたゲートウェイに送信すること
をさらに備える、Ｃ１１に記載の装置。
［Ｃ１３］
前記第１のＮＧＳＯ衛星から受信された前記データを復号すること、
をさらに備え、
ここにおいて、前記受信されたデータは、前記リレーノードに送信するためにおよび前記リレーノードで受信するために増加的冗長性（ＩＲ）を使用して符号化される、Ｃ１１に記載の装置。
［Ｃ１４］
前記第１または前記第２の衛星に関連付けられたビームは、周波数再利用ファクター１を使用する、Ｃ１３に記載の装置。
［Ｃ１５］
前記第１または前記第２の衛星に関連付けられた前記複数のビームは、干渉を低減するために異なるアンテナ偏波を使用して、近接するＮＧＳＯ衛星またはビームを有する複数の列にグループ化される、Ｃ１４に記載の装置。
［Ｃ１６］
コードを備えた非一時的コンピュータ読取可能媒体を備える、非静止軌道（ＮＧＳＯ）衛星ネットワーク内の通信のためのコンピュータプログラム製品であって、前記コードは、
リレーノードにおいて、データを前記ＮＧＳＯ衛星ネットワークの第１のＮＧＳＯ衛星から受信することと、ここにおいて、前記リレーノードは、前記ＮＧＳＯ衛星ネットワークの前記第１の衛星および第２の衛星に関連付けられた境界または共通ビームエリアに位置付けられ、前記データは、インターネットポイントオブプレゼンス（ＩＰＰ）が、前記第１のＮＧＳＯ衛星に関連付けられた複数のビームのうちの少なくとも１つで利用可能でないことを前記第１のＮＧＳＯ衛星によって識別することに応答して、前記リレーノードにおいて受信される、
前記データを前記リレーノードから前記ＮＧＳＯ衛星ネットワークの第２のＮＧＳＯ衛星にリレーすることと、
を行うためにコンピュータによって実行可能であり、
ここにおいて、ＩＰＰは、前記第２のＮＧＳＯ衛星に関連付けられた複数のビームのうちの少なくとも１つで利用可能である、コンピュータプログラム製品。
［Ｃ１７］
前記データを前記第２のＮＧＳＯ衛星から前記第２のＮＧＳＯ衛星のＩＰＰに関連付けられたゲートウェイに送信するためのコード
をさらに備える、Ｃ１６に記載のコンピュータプログラム製品。
［Ｃ１８］
前記第１のＮＧＳＯ衛星から受信された前記データを復号するためのコード
をさらに備え、
ここにおいて、前記受信されたデータは、前記リレーノードに送信するためにおよび前記リレーノードで受信するために増加的冗長性（ＩＲ）を使用して符号化される、Ｃ１６に記載のコンピュータプログラム製品。
［Ｃ１９］
前記第１または前記第２の衛星に関連付けられたビームは、周波数再利用ファクター１を使用する、Ｃ１８に記載のコンピュータプログラム製品。
［Ｃ２０］
前記第１または前記第２の衛星に関連付けられた前記複数のビームは、干渉を低減するために異なるアンテナ偏波を使用して、近接するＮＧＳＯ衛星またはビームを有する複数の列にグループ化されるかまたは分離される、Ｃ１９に記載のコンピュータプログラム製品。
【国際調査報告】
2016530832.tif 000012
2016530832.tif 000013
2016530832.tif 000014